(57)【要約】【課題】鮮明でかつ止着動作の繰り返しに対する耐久性の高い模様を有するフロントターゲットテープを備えた使い捨ておむつを提供する。【解決手段】前ウェスト部から股間部を経て後ウェスト部に至る縦長形状でかつ前ウェスト部と後ウェスト部にそれぞれ両側外方に延出する前サイドフラップと後サイドフラップを有し、かつ後サイドフラップに止着テープ１３を、前ウェスト部にフロントターゲットテープ１４をそれぞれ設けた使い捨ておむつにおいて、フロントターゲットテープ１４を、基材テープ２０の表面に模様を形成する印刷層２１と、その印刷層２１を被覆する透明樹脂からなるオーバーコート層２２とを設けて構成した。【選択図】        図３
2004229696.tif 000002
【特許請求の範囲】
【請求項１】
前ウェスト部から股間部を経て後ウェスト部に至る縦長形状でかつ前ウェスト部と後ウェスト部にそれぞれ両側外方に延出する前サイドフラップと後サイドフラップを有し、かつ後サイドフラップに止着テープを、前ウェスト部にフロントターゲットテープをそれぞれ設けた使い捨ておむつにおいて、フロントターゲットテープを、基材テープの表面に模様を形成する印刷層と、その印刷層を被覆する透明樹脂からなるオーバーコート層とを設けて構成したことを特徴とする使い捨ておむつ。
【請求項２】
基材テープが不織布から成り、印刷前にコロナ放電処理が施されていることを特徴とする請求項１記載の使い捨ておむつ。
【請求項３】
オーバーコート層は、ワニスを塗工して形成したことを特徴とする請求項１又は２記載の使い捨ておむつ。
【発明の詳細な説明】
【０００１】
【発明の属する技術分野】
本発明は、幼児、失禁者等を対象とする使い捨ておむつに関し、特にフラット型の使い捨ておむつにおけるフロントターゲットテープの改良に関するものである。
【０００２】
【従来の技術】
使い捨ておむつは、フラット型とパンツ型に大別される。フラット型の使い捨ておむつは、液不透過性シートからなる外面シートと液透過性シートからなる内面シートとの間に吸収体を介在させた構成で、前ウェスト部から股間部を経て後ウェスト部に至る縦長形状に形成され、かつ前ウェスト部と後ウェスト部にそれぞれ両側外方に延出する前サイドフラップと後サイドフラップが設けられている。後サイドフラップには止着テープが設けられ、前ウェスト部にフロントターゲットテープが設けられており、着用者の背側に後ウェスト部を、腹側に前ウェスト部を当てがって、後サイドフラップの止着テープを前ウェスト部のフロントターゲットテープに止着することで、この使い捨ておむつを装着するように構成されている。
【０００３】
このフラット型の使い捨ておむつにおける止着テープとフロントターゲットテープには一般に面状ファスナーが適用され、止着テープには多数の微小フックが分散形成されたフックテープが固着され、フロントターゲットテープは微小フックが係合する多数の微小ループが分散形成されたループテープとして、不織布からなるテープが用いられている（例えば、特許文献１参照。）。
【０００４】
また、そのフロントターゲットテープには、短時間で装着できるように、着用者の胴回りの大きさに応じて止着テープの止着位置が一目で分かるように表示するデザイン化した目盛りや、幼児などに好印象を与えるための各種の図柄などの模様が印刷されている。
【０００５】
【特許文献１】
特開２００１−７０３４０号公報
【０００６】
【発明が解決しようとする課題】
ところで、図４（ａ）に示すように、フロントターゲットテープ３０の基材テープ３１の表面にインク層３２を印刷形成して上記のような模様を形成した場合、止着テープの着脱を繰り返すと、インク層３２がフックテープの微小フックによって削り取られて基材テープ３１から剥がれ、模様が汚く消えて見栄えが悪くなるという問題があった。
【０００７】
そこで、図４（ｂ）に示すように、基材テープ３１の裏面にインク層３２を印刷形成することも考えられたが、フロントターゲットテープ３０の表面から見える模様が鮮明でなくなってしまい、模様を形成する効果が著しく低減して商品上の付加価値がなくなってしまうという問題がある。
【０００８】
本発明は、上記従来の問題点に鑑み、フロントターゲットテープに鮮明でかつ止着動作の繰り返しに対する耐久性の高い印刷を有する使い捨ておむつを提供することを目的とする。
【０００９】
【課題を解決するための手段】
本発明の使い捨ておむつは、前ウェスト部から股間部を経て後ウェスト部に至る縦長形状でかつ前ウェスト部と後ウェスト部にそれぞれ両側外方に延出する前サイドフラップと後サイドフラップを有し、かつ後サイドフラップに止着テープを、前ウェスト部にフロントターゲットテープをそれぞれ設けた使い捨ておむつにおいて、フロントターゲットテープを、基材テープの表面に模様を形成する印刷層と、その印刷層を被覆する透明樹脂からなるオーバーコート層とを設けて構成したものである。
【００１０】
この構成によれば、基材テープの表面に印刷しているのでフロントターゲットテープの表面に鮮明な模様を形成することができ、かつその印刷層を被覆するオーバーコート層を設けているので、止着テープを繰り返し着脱操作しても印刷したインクが剥がれるのを防止し、模様が汚く消えるのを確実に防止することができ、繰り返し着脱しても見栄えの良い使い捨ておむつを提供できる。
【００１１】
また、基材テープが不織布から成り、印刷前にコロナ放電処理が施されていると、不織布から成る安価な基材テープを用いながら、その繊維表面にコロナ放電によって凹凸を付与してインクの定着性を向上でき、鮮明で消えにくい模様を形成することができる。
【００１２】
また、オーバーコート層を、ワニスを塗工して形成すると、模様の鮮明さを損なうことなく強度の高い被覆層を簡単な工程にて形成することができる。
【００１３】
【発明の実施の形態】
以下、本発明の使い捨ておむつの一実施形態について、図１〜図３を参照して説明する。なお、以下に示す実施形態は本発明を具体化した一例であって、本発明の技術的範囲を限定するものではない。
【００１４】
図１、図２は、フラット型の使い捨ておむつ１の全体構成を示す。この使い捨ておむつ１は、液不透過性の外面シート２と液透過性の内面シート３との間に吸収体４（図３参照）を介在させた構成で、前ウェスト部５から股間部６を経て後ウェスト部７に至る縦長形状に形成されている。図３に示すように、外面シート２は液不透過性のポリエチレンシートなどから成る防水シート１６の外面にクロスのような感触を与えるための薄い不織布などからなるバックシート１７を貼り合わせて構成され、内面シート３は不織布にて構成されている。
【００１５】
前ウェスト部５と後ウェスト部７の間では、吸収体４の両側部に、糸ゴム等の弾性伸縮部材を伸長状態にして配置してシート２、３に接合することで立体ギャザー部８及びギャザリングされた外縁部９が形成され、前ウェスト部５と後ウェスト部７では、発泡ポリウレタンなどから成るテープ状の弾性伸縮部材をギャザリングしたシート２、３に接合することでウェストにフィットするように構成されている。前ウェスト部５及び後ウェスト部７には、それぞれ両側外方に延出する前サイドフラップ１１と後サイドフラップ１２が設けられている。
【００１６】
後サイドフラップ１２には止着テープ１３が設けられ、前ウェスト部５に止着テープ１３の止着面となるフロントターゲットテープ１４が設けられている。フロントターゲットテープ１４には、着用者の胴回りの大きさに応じて止着テープの止着位置が一目で分かるように表示するデザイン化した目印や、幼児などに好印象を与えるための各種の図柄などの模様１５が印刷されている。
【００１７】
この使い捨ておむつ１の装着時には、着用者の背側に後ウェスト部７、腹側に前ウェスト部５を当てがい、模様１５の目印などを目安に着用者の体格、体型に応じて止着テープ１３の止着位置を決め、図２に示すように、フロントターゲットテープ１４に止着する。この止着テープ１３の止着によりレッグ開口部が形成され、着用者の股部分を外縁部９で包み込み、その内側に立体ギャザー部８が位置して尿漏れが防止される。
【００１８】
このような全体構成の使い捨ておむつ１において、止着テープ１３は、図３に示すように、不織布から成る連結テープ１８のフロントターゲットテープ１４に対向する面の先端部に、多数の微小フック１９ａが分散形成されたフックテープ１９を固着して構成されている。また、フロントターゲットテープ１４は、図３に示すように、不織布から成る基材テープ２０の表面に模様１５を形成する印刷層２１を設け、この印刷層２１の上にこれを被覆する透明樹脂からなるオーバーコート層２２を設けて構成されている。
【００１９】
基材テープ２０は、芯部がＰＥＴでその外周にＰＥ層を形成した１．５〜８デニールのＰＥ／ＰＥＴ繊維を用いて３０〜６０ｇ／ｍ２  のエアスルーを有するように構成された不織布のテープにて構成され、さらに印刷前にコロナ放電処理が施されている。この基材テープ２０の裏面側が外面シート２のバックシート１７に熱溶着にて固着されている。
【００２０】
模様１５を構成する印刷層２１は、無機顔料や有機顔料を含有した非水溶性インクにて印刷形成されている。無機顔料としては、二酸化チタン、アルミナホワイト、硫化亜鉛、紺青、沈降性硫酸バリウム、沈降性炭酸カルシウム、含水ケイ酸塩、マンガンバイオレット、アルミニウム粉、カーボンブラックなどが好適に用いられ、有機顔料としては、ナフトールグリーンＢ、ナフトールエローＳ、リソールレッド、ファストエロー、クロモフタールエロー、クロモフタールレッド、ピーコックブルーレーキ、アルカリブルーレーキ、ローダミンレーキ、フタロシアンニンブルー、アントラビリジンエロー、キナカリドンレッド、ジオキサジンバイオレット、イソインドリノンエロー、昼光蛍光顔料などが好適に用いられる。
【００２１】
オーバーコート層２２は、樹脂材料を溶媒に溶かして成り、塗工すると透明な硬い表面被覆層を形成するワニスが好適に用いられる。例えば、合成樹脂が１０〜２５％、溶媒として酢酸プロピルが１０〜２０％、ノルマルプロピルアルコールが２０〜３０％、メチルプロピレングリコールが５〜１０％の組成を有する、東洋インキ製造（株）製の「ＦＢキングＸ」などが好適に用いられる。
【００２２】
以上の構成によれば、フラット型の使い捨ておむつ１のフロントターゲットテープ１４において、その基材テープ２０を不織布にて構成しかつ印刷前にコロナ放電処理を施しているので、不織布から成る安価な基材テープ２０を用いながら、その繊維表面にコロナ放電によって凹凸を付与してインクの定着性を向上でき、鮮明で消えにくい模様を形成することができる。
【００２３】
そして、この基材テープ２０の表面に印刷層２１を形成しているので、フロントターゲットテープ１４の表面に鮮明な模様１５を描き出すことができ、かつその印刷層２１をオーバーコート層２２にて被覆しているので、止着テープ１３のフックテープ１９を繰り返し着脱操作しても印刷したインクが剥がれるのを防止できる。また、ワニスの塗工によってオーバーコート層２２を形成しているので、模様１５の鮮明さを損なうことなく強度の高い被覆層を簡単な工程にて形成することができる。
【００２４】
従って、本実施形態によれば、模様１５が汚く消えるのを確実に防止することができ、繰り返し着脱しても見栄えの良い使い捨ておむつ１を提供できる。
【００２５】
【発明の効果】
本発明の使い捨ておむつによれば、フロントターゲットテープを、基材テープの表面に模様を形成する印刷層と、その印刷層を被覆する透明樹脂からなるオーバーコート層とを設けて構成したので、フロントターゲットテープの表面に鮮明な模様を形成することができ、かつその印刷層をオーバーコート層に被覆しているので、止着テープを繰り返し着脱操作しても印刷したインクが剥がれるのを防止し、模様が汚く消えるのを確実に防止することができ、繰り返し着脱しても見栄えの良い使い捨ておむつを提供できる。
【図面の簡単な説明】
【図１】本発明の使い捨ておむつの一実施形態の構成を示す斜視図である。
【図２】同実施形態の使い捨ておむつの正面図である。
【図３】図２のＡ−Ａ矢視拡大断面図である。
【図４】従来例の使い捨ておむつにおけるフロントターゲットテープを示し、（ａ）は印刷層を表面側に形成した例の断面図、（ｂ）は印刷層を表面側に形成した例の断面図である。
【符号の説明】
１  使い捨ておむつ
５  前ウェスト部
６  股間部
７  後ウェスト部
１１  前サイドフラップ
１２  後サイドフラップ
１３  止着テープ
１４  フロントターゲットテープ
１５  模様
２０  基材テープ
２１  印刷層
２２  オーバーコート層
【図１】
2004229696.tif 000003
【図２】
2004229696.tif 000004
【図３】
2004229696.tif 000005
【図４】
2004229696.tif 000006